(57)【要約】【課題】メンテナンス性により優れた記録装置を提供する。【解決手段】記録装置は、被記録媒体に記録を行う記録手段を備える記録機構部と、前記記録機構部の上部において前記記録機構部に対し回動可能に連結され、回動することにより前記記録機構部の上部を開閉する開閉部と、前記開閉部の周縁と対向配置されるとともに前記開閉部と連結する連結状態と前記開閉部との連結を解除する解除状態とをとり得る様に設けられた、前記記録機構部の操作を受け付ける操作部と、前記記録機構部を制御する制御部と前記操作部とを接続するケーブルと、前記解除状態にあるとともに前記制御部と前記ケーブルで接続された前記操作部を、前記開閉部の周縁との間隔を前記連結状態よりも拡げた状態で支持する、前記記録機構部に設けられた支持手段とを備える。【選択図】図１７
2017123525.tif 000002
【特許請求の範囲】
【請求項１】
被記録媒体に記録を行う記録手段を備える記録機構部と、
前記記録機構部の上部において前記記録機構部に対し回動可能に連結され、回動することにより前記記録機構部の上部を開閉する開閉部と、
前記開閉部の周縁と対向配置されるとともに前記開閉部と連結する連結状態と前記開閉部との連結を解除する解除状態とをとり得る様に設けられた、前記記録機構部の操作を受け付ける操作部と、
前記記録機構部を制御する制御部と前記操作部とを接続するケーブルと、
前記解除状態にあるとともに前記制御部と前記ケーブルで接続された前記操作部を、前記開閉部の周縁との間隔を前記連結状態よりも拡げた状態で支持する、前記記録機構部に設けられた支持手段と、
を備えた記録装置。
【請求項２】
請求項１に記載の記録装置において、前記操作部の操作面は、前記連結状態において傾斜しており、
前記操作部が前記支持手段により支持された状態において前記操作面は、前記連結状態における傾斜と同じ方向に傾斜している、
ことを特徴とする記録装置。
【請求項３】
請求項１または請求項２に記載の記録装置において、前記操作部は、前記連結状態において前記記録機構部に固定される固定部を有し、
前記固定部が前記支持手段と係合することにより前記操作部が前記支持手段によって支持される構成である、
ことを特徴とする記録装置。
【請求項４】
請求項３に記載の記録装置において、前記固定部は、前記操作部の前記開閉部側において装置下方向に突出する突出部として構成され、
前記支持手段は、前記固定部を引っ掛ける引っ掛け部を備えて成る、
ことを特徴とする記録装置。
【請求項５】
請求項３または請求項４に記載の記録装置において、前記操作部において前記開閉部と連結される連結部が前記操作部の上部に設けられるとともに、前記固定部が前記操作部の下部に設けられる、
ことを特徴とする記録装置。
【請求項６】
請求項１または請求項２に記載の記録装置において、前記支持手段は、開いた状態の前記開閉部の下側であって前記記録機構部の上部に設けられている、
ことを特徴とする記録装置。
【請求項７】
請求項１から請求項６のいずれか一項に記載の記録装置において、前記開閉部は、原稿を読み取る読み取り機構部と、前記読み取り機構部に原稿を自動給送する給送機構部とを備えて成る、
ことを特徴とする記録装置。
【発明の詳細な説明】
【技術分野】
【０００１】
本発明は、被記録媒体に記録を行う記録手段を備える記録機構部と、前記記録機構部の上部において前記記録機構部に対し回動可能に連結され、回動することにより前記記録機構部の上部を開閉する開閉部と、を備えた記録装置に関する。
【背景技術】
【０００２】
ファクシミリやプリンターに代表される記録装置においては、記録機能の他に、画像読取機能を備えた所謂複合機と呼ばれるものがある。即ち、記録用紙に記録を行う記録機構部の本体上部に、スキャナユニットが設けられている。
【０００３】
スキャナユニットは、記録機構部に対して回動可能に設けられ、回動することにより、開姿勢と閉姿勢とを切り換え可能となっている。スキャナユニットは、通常使用時には閉姿勢で保持されるが、例えば記録機構部の内部で紙ジャムが生じた場合のジャム処理の際や、インクカートリッジ交換、その他メンテナンス等の際に、スキャナユニットが開かれる様になっている。
【先行技術文献】
【特許文献】
【０００４】
【特許文献１】特開２００５−１８９５５２号公報
【発明の概要】
【発明が解決しようとする課題】
【０００５】
ところで上記の様な複合機では、スキャナユニットと記録機構部とを操作する為の操作パネルが設けられることが多い。  
しかしながら操作パネルがスキャナユニットに隣接していると、例えばスキャナユニットの回動軸にガタがある場合などでは、スキャナユニットを開く際に当該スキャナユニットが操作パネルと干渉する虞がある。従ってスキャナユニットを開く前に操作パネルを設置位置から取り外す必要が生じる。  
しかしながら操作パネルを取り外してしまうと、スキャナユニットを開いた状態で例えば記録機構部をテスト動作させることができず、記録機構部のメンテナンスの実効性が低下し、好ましくない。
【０００６】
そこで本発明はこの様な状況に鑑みなされたものであり、その目的は、メンテナンス性により優れた記録装置を提供することにある。
【課題を解決するための手段】
【０００７】
上記課題を解決する為の、本発明の第１の態様に係る記録装置は、被記録媒体に記録を行う記録手段を備える記録機構部と、前記記録機構部の上部において前記記録機構部に対し回動可能に連結され、回動することにより前記記録機構部の上部を開閉する開閉部と、前記開閉部の周縁と対向配置されるとともに前記開閉部と連結する連結状態と前記開閉部との連結を解除する解除状態とをとり得る様に設けられた、前記記録機構部の操作を受け付ける操作部と、前記記録機構部を制御する制御部と前記操作部とを接続するケーブルと、前記解除状態にあるとともに前記制御部と前記ケーブルで接続された前記操作部を、前記開閉部の周縁との間隔を前記連結状態よりも拡げた状態で支持する、前記記録機構部に設けられた支持手段とを備えたことを特徴とする。
【０００８】
本態様によれば、前記解除状態にあるとともに前記制御部と前記ケーブルで接続された前記操作部を、前記開閉部の周縁との間隔を前記連結状態よりも拡げた状態で支持する、前記記録機構部に設けられた支持手段を備えているので、前記操作部が前記支持手段により支持された状態では、前記開閉部を開く際に前記操作部と前記開閉部との干渉を避けて前記開閉部を適切に開くことができる。
【０００９】
そして前記操作部を前記解除状態とした際に、当該操作部を前記記録機構部から離れた位置に置くことなく前記記録機構部によって一時的に支持しておくことができ、前記操作部と前記制御部とをケーブルで接続した状態のままとすることができるので、前記開閉部を開いた状態であっても前記操作部によって前記記録機構部を操作することができる。  
以上により、メンテナンス性により優れた記録装置を得ることができる。
【００１０】
本発明の第２の態様は、第１の態様において、前記操作部の操作面は、前記連結状態において傾斜しており、前記操作部が前記支持手段により支持された状態において前記操作面は、前記連結状態における傾斜と同じ方向に傾斜していることを特徴とする。
【００１１】
本態様によれば、前記操作部の操作面は、前記連結状態において傾斜しており、前記操作部が前記支持手段により支持された状態において前記操作面は、前記連結状態における傾斜と同じ方向に傾斜しているので、前記操作部の操作性が前記連結状態と前記支持手段により支持された状態とで大きく変化せず、良好な操作性を維持できる。
【００１２】
本発明の第３の態様は、第１のまたは第２の態様において、前記操作部は、前記連結状態において前記記録機構部に固定される固定部を有し、前記固定部が前記支持手段と係合することにより前記操作部が前記支持手段によって支持される構成であることを特徴とする。
【００１３】
本態様によれば、前記操作部は、前記開閉部と連結するのみならず前記記録機構部に対しても固定されるので、前記操作部をより確実に固定し、操作時のがたつき等を抑え、良好な操作感を提供することができる。
【００１４】
本発明の第４の態様は、第３の態様において、前記固定部は、前記操作部の前記開閉部側において装置下方向に突出する突出部として構成され、前記支持手段は、前記固定部を引っ掛ける引っ掛け部を備えて成ることを特徴とする。
【００１５】
本態様によれば、前記固定部は、前記操作部の前記開閉部側において装置下方向に突出する突出部として構成され、前記支持手段は、前記固定部を引っ掛ける引っ掛け部を備えて成るので、前記操作部を前記支持手段に支持させる構造が簡易となり、前記支持手段を低コストに構成できる。
【００１６】
本発明の第５の態様は、第３のまたは第４の態様において、前記操作部において前記開閉部と連結される連結部が前記操作部の上部に設けられるとともに、前記固定部が前記操作部の下部に設けられることを特徴とする。
【００１７】
本態様によれば、前記操作部において前記開閉部と連結される連結部が前記操作部の上部に設けられるとともに、前記固定部が前記操作部の下部に設けられるので、前記操作部が前記開閉部に連結した状態において当該開閉部の姿勢がより一層安定する。
【００１８】
本発明の第６の態様は、第１のまたは第２の態様において、前記支持手段は、開いた状態の前記開閉部の下側であって前記記録機構部の上部に設けられていることを特徴とする。  
本態様によれば、前記支持手段は、開いた状態の前記開閉部の下側であって前記記録機構部の上部に設けられているので、前記記録機構部の内部を視認しながら前記操作部を操作するのに好適な状態となり、メンテナンス作業を効率良く行うことができる。
【００１９】
本発明の第７の態様は、第１から第６の態様のいずれかにおいて、前記開閉部は、原稿を読み取る読み取り機構部と、前記読み取り機構部に原稿を自動給送する給送機構部とを備えて成ることを特徴とする。
【図面の簡単な説明】
【００２０】
【図１】本発明に係るプリンターの外観斜視図。
【図２】本発明に係る操作部の正面図。
【図３】本発明に係る操作部を背面側から見た斜視図。
【図４】プリンターの右側面からカバー部材を取り外した状態を示す斜視図。
【図５】プリンターの左側面からカバー部材を取り外した状態を示す斜視図。
【図６】記録機構部の側面における操作部との接続部を示す斜視図。
【図７】プリンターの前面側において前面カバーを開いた状態を示す正面図。
【図８】プリンターの前面側において前面右カバーを取り外した状態を示す正面図。
【図９】プリンターの前面側において操作部がスキャナ部に連結されている状態における操作部の左側端部に設けられた固定部を示す斜視図。
【図１０】プリンターの前面側において操作部がスキャナ部に連結されている状態における操作部の右側端部に設けられた固定部を示す斜視図。
【図１１】スキャナ部において給送機構部を開いた状態とした際の操作部と読み取り機構部との連結部分を上方から見た斜視図。
【図１２】スキャナ部に対して操作部が連結された状態を示す側断面図。
【図１３】スキャナ部に対する操作部の連結が解除された状態を示す側断面図。
【図１４】スキャナ部に対する操作部の連結が解除された際、操作部の左側端部に設けられた固定部が記録機構部の支持部に支持されている状態を示す斜視図。
【図１５】スキャナ部に対する操作部の連結が解除された際、操作部の右側端部に設けられた固定部が記録機構部の支持部に支持されている状態を示す斜視図。
【図１６】プリンターの前面側においてスキャナ部に対する操作部の連結が解除され、操作部が記録機構部に支持された状態を示す斜視図。
【図１７】プリンターにおいて操作部が記録機構部に支持された状態でスキャナ部を回動させた状態を示す斜視図。
【図１８】プリンターにおいて制御部と、制御部と操作部と接続するケーブルとを示す斜視図。
【図１９】操作部を記録機構部の背面側に移動させる途中の状態を示す斜視図。
【図２０】操作部を記録機構部の背面側に置いた状態を示す斜視図。
【発明を実施するための形態】
【００２１】
以下、本発明の実施の形態を図面に基づいて説明する。尚、各実施例において同一の構成については、同一の符号を付し、最初の実施例においてのみ説明し、以後の実施例においてはその構成の説明を省略する。
【００２２】
図１は本発明に係るプリンターの外観斜視図であり、図２は本発明に係る操作部の正面図であり、図３は本発明に係る操作部を背面側から見た斜視図であり、図４はプリンターの右側面からカバー部材を取り外した状態を示す斜視図であり、図５はプリンターの左側面からカバー部材を取り外した状態を示す斜視図であり、図６は記録機構部の側面における操作部との接続部を示す斜視図であり、図７はプリンターの前面側において前面カバーを開いた状態を示す正面図である。
【００２３】
また、図８はプリンターの前面側において前面右カバーを取り外した状態を示す正面図であり、図９はプリンターの前面側において操作部がスキャナ部に連結されている状態における操作部の左側端部に設けられた固定部を示す斜視図であり、図１０はプリンターの前面側において操作部がスキャナ部に連結されている状態における操作部の右側端部に設けられた固定部を示す斜視図であり、図１１はスキャナ部において給送機構部を開いた状態とした際の操作部と読み取り機構部との連結部分を上方から見た斜視図である。
【００２４】
また、図１２はスキャナ部に対して操作部が連結された状態を示す側断面図であり、図１３はスキャナ部に対する操作部の連結が解除された状態を示す側断面図であり、図１４はスキャナ部に対する操作部の連結が解除された際、操作部の左側端部に設けられた固定部が記録機構部の支持部に支持されている状態を示す斜視図であり、図１５はスキャナ部に対する操作部の連結が解除された際、操作部の右側端部に設けられた固定部が記録機構部の支持部に支持されている状態を示す斜視図である。
【００２５】
また、図１６はプリンターの前面側においてスキャナ部に対する操作部の連結が解除され、操作部が記録機構部に支持された状態を示す斜視図であり、図１７はプリンターにおいて操作部が記録機構部に支持された状態でスキャナ部を回動させた状態を示す斜視図であり、図１８はプリンターにおいて制御部と、制御部と操作部と接続するケーブルとを示す斜視図であり、図１９は操作部を記録機構部の背面側に移動させる途中の状態を示す斜視図であり、図２０は操作部を記録機構部の背面側に置いた状態を示す斜視図である。
【００２６】
また、各図において示すＸ−Ｙ−Ｚ座標系はＸ方向がスキャナ部の給送機構部における原稿の送り方向であるとともに記録装置の幅方向、Ｙ方向が読み取り機構部における主走査方向であるとともに記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００２７】
■■■実施例の説明■■■■
＜＜＜プリンターの概要＞＞＞
図１を参照するに、本実施例に係る「記録装置」としてのプリンター１０は、装置本体を構成する記録機構部１２と、記録機構部１２の上方に配置され、記録機構部１２に対して回動可能な「開閉部」としてのスキャナ部１４と、記録機構部１２の装置幅方向の右側面及び左側面にそれぞれ配置されたインク収容体格納部１６Ａ、１６Ｂとを備えている。
【００２８】
記録機構部１２は、下部に被記録媒体を収容する媒体収容部１８が設けられている。また、記録機構部１２の前面側には、排出口２０が設けられている。そして、媒体収容部１８の上部には、排出口２０から排出された被記録媒体を受ける排出トレイ２２が設けられている。
【００２９】
また、装置前面側において排出口２０の上方には、操作部２４が設けられている。操作部２４については後ほど、詳しく説明する。そして、記録機構部１２内には、キャリッジ２６（破線部参照）が図示しない駆動手段により装置幅方向に沿って往復動可能に構成されている。キャリッジ２６の下部には被記録媒体に向けてインクを吐出する、「記録手段」としての記録ヘッド２８（破線部参照）が設けられている。
【００３０】
また、一例としてインク収容体格納部１６Ａ（装置幅方向左側）には、黒色のインクを収容するインク収容体（不図示）が格納され、インク収容体格納部１６Ｂ（装置幅方向右側）にはマゼンタ、イエロー、シアンの各色のインクにそれぞれ対応する複数のインク収容体（不図示）が格納されている。そして、本実施例では各インク収容体から記録ヘッド２８に対してインクが供給可能に構成されている。
【００３１】
本実施例において、媒体収容部１８に収容された被記録媒体は、図示しない給送手段により、キャリッジ２６の記録ヘッド２８と対向する領域に送られる。そして、記録ヘッド２８と対向する領域において被記録媒体は記録ヘッド２８から吐出されるインクを受けて記録が実行される。そして、記録が実行された被記録媒体は、排出トレイ２２に向けて排出される。
【００３２】
＜＜＜スキャナ部の概要＞＞＞
続いて、スキャナ部１４の概要について説明する。スキャナ部１４は、上面に原稿を載置する原稿台１４ａ（図１１参照）を備えた読み取り機構部１４ｂと、読み取り機構部１４ｂに対して閉じた姿勢と開いた姿勢とを切換え可能な給送機構部１４ｃとを備えている。本実施例において給送機構部１４ｃは装置背面側の端部を回動支点として読み取り機構部１４ｂに対して回動可能に構成されている。
【００３３】
そして、給送機構部１４ｃを読み取り機構部１４ｂに対して開いた姿勢にすることにより、原稿台１４ａに原稿をセットすることが可能である。また、読み取り機構部１４ｂ内には原稿台１４ａにセットされた原稿の被読み取り面を読み取り可能な読み取り手段（不図示）が設けられている。また、給送機構部１４ｃは原稿セット部１４ｄにセットされた原稿を原稿排出トレイ１４ｅに向けて搬送可能に構成されており、原稿の搬送途中で原稿の被読み取り面を読み取り手段により読み取り可能に構成されている。
【００３４】
＜＜＜操作部について＞＞＞
以下、図及び図３を参照して操作部２４の構成について説明する。図２及び図３に示すように操作部２４は装置幅方向に延びている。そして、図１に示すように操作部２４の装置奥行き方向前面側には、操作面２４ａが設けられている。本実施例において、操作面２４ａは、装置奥行き方向前面側かつ装置高さ方向下方側に向けて傾斜する傾斜面として構成されている。本実施例において操作面２４ａには、図２に示すように複数の入力用ボタンやスイッチ等を備える入力部２４ｂと、液晶パネル等の表示部２４ｃが設けられている。
【００３５】
また、図３に示すように操作部２４内には複数の電子部品や、入力部２４ｂの操作入力を受けるスイッチ、表示部２４ｃへ表示する為の液晶パネル等を備える回路基板３０が設けられている。また、回路基板３０には、図１７及び図１８に示すようにケーブル３２の一端が接続されている。本実施例において、ケーブル３２は、ＦＦＣ（フレキシブルフラットケーブル）のような可撓性のケーブルとして構成されている。
【００３６】
ケーブル３２の他端は、図１８に示す制御部３４に接続されている。本実施例において制御部３４は記録機構部１２において装置奥行き方向背面側かつ装置幅方向右側端部（図１８における−Ｘ軸方向側）に設けられている。尚、制御部３４は、本実施例において複数の電子部品を備える回路基板として構成されている。ケーブル３２は、操作部２４の背面側において回路基板３０から延出し、操作部２４の背面側端部において装置幅方向右方に延びた後、記録機構部１２の上部を装置奥行き方向背面側に延びて制御部３４に接続されている。
【００３７】
再度、図２及び図３を参照するに、操作部２４の背面側端部（装置奥行き方向においてスキャナ部１４の側）の下部には、下方に向けて突出する突出部として構成される第１固定部３６、３６が設けられている。本実施例において、第１固定部３６、３６は、装置幅方向に間隔をおいて２つ設けられている。
【００３８】
また、操作部２４の背面側端部の上部には、装置高さ方向下方側に向けて突出する複数の連結部３８、３８、３８、３８が設けられている。本実施例では、連結部３８、３８、３８、３８は装置幅方向において適宜間隔をおいて４つ設けられている。
【００３９】
図３に示すように操作部２４の装置幅方向における両端部には、第２固定部４０、４０がそれぞれ設けられている。第２固定部４０には、貫通穴４０ａと、係止穴４０ｂとが設けられている。
【００４０】
＜＜＜操作部の連結について＞＞＞
次いで、図４ないし図１８を参照しながら記録機構部１２及びスキャナ部１４との連結について説明する。尚、以下の説明では、操作部２４と記録機構部１２及びスキャナ部１４との連結の構成を説明しつつ、操作部２４の連結状態から連結解除状態への移行について説明する。
【００４１】
図１に示すように装置幅方向においてスキャナ部１４の読み取り機構部１４ｂの両側部にはカバー部材４２、４２が取り付けられている。読み取り機構部１４ｂの両側部からカバー部材４２を取り外すと、図４ないし図６に示すように記録機構部１２とスキャナ部１４との接続部が露出する。また、図４及び図６に示すように記録機構部１２に固定されている操作部２４の第２固定部４０も併せて露出する。尚、図５では示されていないが操作部２４の右側部に設けられた第２固定部４０と同様に、左側部に設けられた第２固定部４０も露出している。
【００４２】
図６を参照して第２固定部４０と記録機構部１２との接続について説明する。記録機構部１２の装置前面側にフレーム部材４４（図１２、図１３及び図１７参照）が設けられている。本実施例においてフレーム部材４４は金属板を曲げ加工等で曲げて形成している。フレーム部材４４の装置幅方向における両側部には、被固定部４４ａが設けられている。被固定部４４ａには装置幅方向において装置外側に向けて突出する位置決めダボ４６（図１５参照）が設けられている。位置決めダボ４６は、第２固定部４０の係止穴４０ｂ内に挿入されて係合している。本実施例において、位置決めダボ４６と係止穴４０ｂとはスナップフィットとして構成されている。
【００４３】
被固定部４４ａには、不図示のねじ穴が設けられている。そして、第２固定部取付ねじ４８を貫通穴４０ａを介して不図示のねじ穴に締め付けることで、第２固定部４０と被固定部４４ａとが接続される。
【００４４】
ここで、第２固定部４０と被固定部４４ａとを接続している第２固定部取付ねじ４８を緩めた後、位置決めダボ４６を係止穴４０ｂから抜くことにより位置決めダボ４６と係止穴４０ｂとの係合が解消される。これにより、第２固定部４０と被固定部４４ａとの接続状態が解消される。
【００４５】
次いで、図１に示すように記録機構部１２の装置前面側において操作部２４の下方には、前面カバー５０と、前面右カバー５２とが設けられている。本実施例において前面カバー５０は記録機構部１２に対して回動可能に取り付けられており、記録機構部１２に対して閉じた姿勢（図１参照）と、記録機構部１２に対して開いた姿勢（図７参照）とを取り得る。そして、前面カバー５０を開くと、操作部２４の装置幅方向左側の第１固定部３６が露出する。
【００４６】
また、前面カバー５０が記録機構部１２に対して開いた姿勢を取ると、記録機構部１２の前面から前面右カバー５２を取り外すことができる（図８参照）。これにより、操作部２４の装置幅方向右側の第１固定部３６が露出する。
【００４７】
図９及び図１０を参照するに記録機構部１２の前面側には、操作部２４の第１固定部３６、３６を支持する「支持手段」の一例としての支持部５４、５４が設けられている。支持部５４は、装置高さ方向上方側及び装置奥行き方向前面側に開口している。そして、支持部５４の背面側には、フレーム部材４４が配置され、支持部５４の一部を構成している（図１２参照）。また、支持部５４の前面側には、支持部５４から装置奥行き方向前面側に突出する枠状の引っ掛け部５６が設けられている。
【００４８】
本実施例において、操作部２４の第１固定部３６、３６は支持部５４、５４にそれぞれ上方側から挿入されて、第１固定部取付ねじ５８、５８によりフレーム部材４４に取り付けられている（図１２参照）。
【００４９】
本実施例において、操作部２４は、第１固定部３６が支持部５４に固定され、第２固定部４０が被固定部４４ａに固定されることにより記録機構部１２に取り付けられる。次いで、操作部２４とスキャナ部１４との関係について説明する。図１６に示すようにスキャナ部１４の読み取り機構部１４ｂの装置奥行き方向前面側の周縁１４ｆには、装置高さ方向上方側に開口する凹状の被連結部６０、６０、６０、６０が設けられている。
【００５０】
そして、本実施例においてスキャナ部１４の被連結部６０には、装置高さ方向上方側から操作部２４の連結部３８が挿入されて係合する構成となっている（図１２破線部参照）。図１１及び図１２は、操作部２４とスキャナ部１４の読み取り機構部１４ｂとの連結状態を示している。本実施例において、操作部２４は読み取り機構部１４ｂの装置奥行き方向前面側の周縁１４ｆと対向するように配置されている。また、読み取り機構部１４ｂの装置奥行き方向前面側の周縁１４ｆにおいて読み取り機構部１４ｂの上面１４ｇと操作部２４の上面２４ｄとは面一となるように構成されている。すなわち、読み取り機構部１４ｂと操作部２４との繋ぎ目が外観上、目立たないように構成されている（図１１も参照）。
【００５１】
以下、操作部２４とスキャナ部１４との連結を解除する手順、およびスキャナ部１４を記録機構部１２に対して開く手順について説明する。先ず、スキャナ部１４の給送機構部１４ｃを読み取り機構部１４ｂに対して装置奥行き方向背面側に回動させて、原稿台１４ａを露出させた状態とする（図１１参照）。そして、操作部２４と記録機構部１２との固定が解除された状態、すなわち、第１固定部３６と支持部５４との接続及び第２固定部４０と被固定部４４ａとの接続がともに解除された状態とする。次いで、図１３に示した矢印のように操作部２４を記録機構部１２及びスキャナ部１４の読み取り機構部１４ｂに対して装置高さ方向上方側に持ち上げると、操作部２４の連結部３８と読み取り機構部１４ｂの被連結部６０との係合状態が解除される。
【００５２】
そして、記録機構部１２及び読み取り機構部１４ｂに対して持ち上げられた操作部２４を装置奥行き方向前面側に傾斜させて、そのまま下方に降ろすと図１３ないし図１５に示すように第１固定部３６の下端部３６ａが、支持部５４の端部５４ａと当接する。そして、第１固定部３６は装置奥行き方向前面側に傾斜した姿勢で引っ掛け部５６に支持された状態、引っ掛け部５６に引っ掛けられた状態となる。つまり、操作部２４は、装置奥行き方向前面側に傾斜した姿勢で記録機構部１２に対して仮置きされた状態（図１６参照）となる。そして、操作部２４が仮置きされた状態、すなわち連結解除状態では、操作部２４の背面側端部と読み取り機構部１４ｂの周縁１４ｆとの間隔が連結状態よりも拡げられた状態となり、隙間５７（図１３及び図１６参照）が形成される。
【００５３】
ここで、再度図４及び図５を参照するに、スキャナ部１４の読み取り機構部１４ｂは、記録機構部１２に対して装置幅方向右側面において複数のスキャナ取付ねじ６２、６２、６２により取り付けられている。一方、スキャナ部１４の読み取り機構部１４ｂは、記録機構部１２に対して装置幅方向左側面においてヒンジ部６４、６４を介して取り付けられている。
【００５４】
そして、操作部２４を記録機構部１２に対して仮置きした状態（図１６参照）において、読み取り機構部１４ｂに対して開いた姿勢を取る給送機構部１４ｃを読み取り機構部１４ｂ側に回動させて閉じた姿勢とする。そして、記録機構部１２と読み取り機構部１４ｂとを接続しているスキャナ取付ねじ６２を緩めて取り外す。そして、スキャナ部１４をヒンジ部６４を回動支点として装置高さ方向上方側に回動させる（図１７及び図１８参照）。
【００５５】
また、装置高さ方向において記録機構部１２と読み取り機構部１４ｂと間には、一端が読み取り機構部１４ｂに接続され、他端が記録機構部１２に接続されたリンク部６６が設けられている。リンク部６６は第１リンク６６ａと第２リンク６６ｂとを備えている。本実施例において第１リンク６６ａと第２リンク６６ｂとは、互いに相対的に回動可能に接続されている。記録機構部１２に対してスキャナ部１４を閉じた状態（図１参照）では、第１リンク６６ａと第２リンク６６ｂとは互いに重なるように回動し、折り畳まれた状態（不図示）となっている。
【００５６】
そして、スキャナ部１４が記録機構部１２に対して回動すると、第１リンク６６ａと第２リンク６６ｂとが折り畳まれた状態から相対的に変位してリンク部６６が開いた状態、すなわち、第１リンク６６ａと第２リンク６６ｂとが直線状になった状態へと切り換わる（図１７及び図１８参照）。そして、スキャナ部１４が記録機構部１２に対して所定の角度まで回動すると、リンク部６６は、リンク部６６に設けられたロック手段によりロックされ、スキャナ部１４が所定の角度で記録機構部１２に対して開いた姿勢でスキャナ部１４を支持する。これにより、記録機構部１２の上部から記録機構部１２の内部へのアクセスが可能となり、記録機構部１２におけるメンテナンス性が向上する。
【００５７】
また、この状態において、記録機構部１２に対して仮置き状態とされている操作部２４は、図１７に示すように装置奥行き方向前面側に傾斜している。つまり、操作部２４においてスキャナ部１４に連結した状態における操作面２４ａの傾斜方向と同じ方向に傾斜している。さらに、操作部２４が仮置きされた状態においても、操作部２４内の回路基板３０と制御部３４はケーブル３２で接続された状態であるので、操作部２４をスキャナ部１４に連結した状態と変わらずに操作することができる。
【００５８】
次いで、図１９及び図２０を参照して、操作部２４の仮置きの他の実施形態について説明する。特にこの実施形態は、記録機構部１２の前面側から記録機構部１２のメンテナンス作業をする際に好適となる。  
図１７において記録機構部１２の前面側に仮置きされた操作部２４を持ち上げて、第１固定部３６、３６の引っ掛け部５６に対する引っ掛け状態を解消する。そして、図１９に示すように記録機構部１２に対してスキャナ部１４を回動させた状態において、記録機構部１２、スキャナ部１４及びリンク部６６に囲まれた領域、つまりリンク部６６の下方を通るように操作部２４を装置奥行き方向背面側に移動させる。
【００５９】
ここで、記録機構部１２の上部において、フレーム部材４４より背面側には、「支持手段」の一例としての上部フレーム部材６８が装置幅方向に延設されている。そして、図２０に示すように、操作部２４を記録機構部１２の上部においてリンク部６６よりも装置奥行き方向背面側に移動させ、上部フレーム部材６８に操作部２４を支持させる。これにより、操作部２４は、記録機構部１２の上部において仮置き状態となる。そして、記録機構部１２の前面側に仮置きされていた操作部２４は装置奥行き方向背面側に移動させられているので、装置奥行き方向前面側から記録機構部１２へのアクセスが可能となる。
【００６０】
＜＜＜実施例の変更例＞＞＞
（１）本実施例において、操作部２４はスキャナ部１４と連結する構成としたが、この構成に代えて、スキャナ部１４と操作部２４とをそれぞれ独立して記録機構部１２に対して接続する構成としてもよい。
（２）本実施例において、開閉部をスキャナ部１４として構成したが、この構成に代えて、開閉部をカバー部として構成してもよい。
（３）本実施例においてスキャナ部１４は記録機構部１２に対して装置幅方向右側端部を自由端として回動する構成としたが、この構成に代えて、装置幅方向左側端部を自由端として回動する構成としてもよく、装置奥行き方向前面側あるいは背面側を自由端として回動する構成としてもよい。
（４）本実施例においてスキャナ部１４を開いた状態に維持させるリンク部６６とスキャナ部１４と装置幅方向右側面で接続する構成としたが、この構成に代えて、装置奥行き方向前面側あるいは装置奥行き方向背面側で接続する構成としてもよい。
【００６１】
上記説明をまとめると、プリンター１０は、被記録媒体に記録を行う記録ヘッド２８を備える記録機構部１２と、記録機構部１２の上部において記録機構部１２に対し回動可能に連結され、回動することにより記録機構部１２の上部を開閉するスキャナ部１４と、スキャナ部１４の周縁１４ｆと対向配置されるとともにスキャナ部１４と連結する連結状態とスキャナ部１４との連結を解除する解除状態とをとり得る様に設けられた、記録機構部１２の操作を受け付ける操作部２４と、記録機構部１２を制御する制御部３４と操作部２４とを接続するケーブル３２と、解除状態にあるとともに制御部３４とケーブル３２で接続された操作部２４をスキャナ部１４の周縁１４ｆとの間隔を連結状態よりも拡げた状態、すなわち隙間５７が形成された状態で支持する、記録機構部１２に設けられた支持部５４とを備えている。
【００６２】
上記構成によれば、解除状態にあるとともに制御部３４とケーブル３２で接続された操作部２４をスキャナ部１４の周縁１４ｆとの間隔を前記連結状態よりも拡げた状態、すなわち隙間５７が形成された状態で支持する支持部５４を備えているので、操作部２４が支持部５４により支持された状態では、スキャナ部１４を開く際に操作部２４とスキャナ部１４との干渉を避けてスキャナ部１４を適切に開くことができる。即ち換言すれば、操作部２４がスキャナ部１４と連結した状態では、操作部２４とスキャナ部１４との間の隙間５７を減らし或いは隙間５７を無くすことができ、装置の美観を確保することができる。
【００６３】
そして操作部２４を解除状態とした際に、当該操作部２４を記録機構部１２から離れた位置に置くことなく記録機構部１２によって一時的に支持しておくことができ、操作部２４と制御部３４とをケーブル３２で接続した状態のままとすることができるので、スキャナ部１４を開いた状態であっても操作部２４によって記録機構部１２を操作することができる。以上により、メンテナンス性により優れた記録装置を得ることができる。
【００６４】
プリンター１０において、操作部２４の操作面２４ａは、連結状態において傾斜しており、操作部２４が支持部５４により支持された状態において操作面２４ａは、連結状態における傾斜と同じ方向に傾斜している。
【００６５】
上記構成によれば、操作部２４の操作面２４ａは、連結状態において傾斜しており、操作部２４が支持部５４により支持された状態において操作面２４ａは、連結状態における傾斜と同じ方向に傾斜しているので、操作部２４の操作性が連結状態と支持部５４により支持された状態とで大きく変化せず、良好な操作性を維持できる。
【００６６】
操作部２４は、連結状態において記録機構部１２に固定される第１固定部３６を有し、第１固定部３６が支持部５４と係合することにより操作部２４が支持部５４によって支持される構成である。
【００６７】
上記構成によれば、操作部２４は、スキャナ部１４と連結するのみならず記録機構部１２に対しても固定されるので、操作部２４をより確実に固定し、操作時のがたつき等を抑え、良好な操作感を提供することができる。
【００６８】
第１固定部３６は、操作部２４のスキャナ部１４側すなわち操作部２４の背面側において装置下方向に突出する突出部として構成され、支持部５４は、第１固定部３６を引っ掛ける引っ掛け部５６を備えて成ることを特徴とする。この構成によれば、操作部２４を支持部５４に支持させる構造が簡易となり、支持部５４を低コストに構成できる。
【００６９】
操作部２４においてスキャナ部１４と連結される連結部３８が操作部２４の上部に設けられるとともに、第１固定部３６が操作部２４の下部に設けられている。この構成によれば、操作部２４がスキャナ部１４に連結した状態において当該スキャナ部１４の姿勢がより一層安定する。
【００７０】
支持手段としての上部フレーム部材６８は、開いた状態のスキャナ部１４の下側であって記録機構部１２の上部に設けられている。この構成によれば、上部フレーム部材６８は、開いた状態のスキャナ部１４の下側であって記録機構部１２の上部に設けられているので、記録機構部１２の内部を視認しながら操作部２４を操作するのに好適な状態となり、メンテナンス作業を効率良く行うことができる。
【００７１】
プリンター１０においてスキャナ部１４は、原稿を読み取る読み取り機構部１４ｂと、読み取り機構部１４ｂに原稿を自動給送する給送機構部１４ｃとを備えて成る。
【００７２】
また、本実施形態では本発明に係る操作部２４を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００７４】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７５】
１０…プリンター、１２…記録機構部、１４…スキャナ部、１４ａ…原稿台、１４ｂ…読み取り機構部、１４ｃ…給送機構部、１４ｄ…原稿セット部、１４ｅ…原稿排出トレイ、１４ｆ…周縁、１４ｇ、２４ｄ…上面、１６Ａ、１６Ｂ…インク収容体格納部、１８…媒体収容部、２０…排出口、２２…排出トレイ、２４…操作部、２４ａ…操作面、２４ｂ…入力部、２４ｃ…表示部、２６…キャリッジ、２８…記録ヘッド、３０…回路基板、３２…ケーブル、３４…制御部、３６…第１固定部、３６ａ…下端部、３８…連結部、４０……第２固定部、４０ａ…貫通穴、４０ｂ…係止穴、４２…カバー部材、４４…フレーム部材、４４ａ…被固定部、４６…位置決めダボ、４８…第２固定部取付ねじ、５０…前面カバー、５２…前面右カバー、５４…支持部、５４ａ…端部、５６…引っ掛け部、５７…隙間、５８…第１固定部取付ねじ、６０…被連結部、６２…スキャナ取付ねじ、６４…ヒンジ部、６６…リンク部、６６ａ…第１リンク、６６ｂ…第２リンク、６８…上部フレーム部材
【図１】
2017123525.tif 000003
【図２】
2017123525.tif 000004
【図３】
2017123525.tif 000005
【図４】
2017123525.tif 000006
【図５】
2017123525.tif 000007
【図６】
2017123525.tif 000008
【図７】
2017123525.tif 000009
【図８】
2017123525.tif 000010
【図９】
2017123525.tif 000011
【図１０】
2017123525.tif 000012
【図１１】
2017123525.tif 000013
【図１２】
2017123525.tif 000014
【図１３】
2017123525.tif 000015
【図１４】
2017123525.tif 000016
【図１５】
2017123525.tif 000017
【図１６】
2017123525.tif 000018
【図１７】
2017123525.tif 000019
【図１８】
2017123525.tif 000020
【図１９】
2017123525.tif 000021
【図２０】
2017123525.tif 000022